(57)【要約】      （修正有）【課題】銀古美仕上げ、燻し仕上げを施した安価な装身具を提供する。【解決手段】銀素材、シルバ９２５素材の貴金属・アクセサリの仕上げの際に用いる硫黄を主成分とする溶液に展着剤、エタノール、グリセリン、マクロゴール（登録商標）を水、または温泉水で調合した溶剤を使用し、磁気バレル３を用いて仕上げたことを特徴とする。磁気バレルにて研磨しながら表面処理が行えるので製作効率が向上し更に燻し仕上げの表面に輝きが生まれ効率の良い作業工程となる。水和硫黄剤を主成分とした独自の調合、配合による溶剤を用いた装飾品は生産性、商品クオリティを高める上でも効果的である。【選択図】図２
0003151447.tif 000002
【実用新案登録請求の範囲】
【請求項１】
銀素材、シルバ９２５素材の貴金属・アクセサリの仕上げの際に用いる硫黄を主成分とする溶液に、展着剤、エタノール、グリセリン、マクロゴールを加え、水、または温泉水で調合して溶剤とし、該溶剤を使用し、磁気バレルを用いて仕上げた装飾品。
【請求項２】
前記銀素材、シルバ９２５素材の貴金属・アクセサリの表面に、燻し仕上げ、古美仕上げ等の処理を施すことを特徴とする請求項1に記載の装飾品。
【考案の詳細な説明】
【技術分野】
【０００１】
本考案は、銀、シルバ９２５素材のアクセサリ、装身具に関し、特に仕上げの際に多く用いられる古美仕上げ、燻し仕上げを効果的に行う為の溶剤を用いた装飾品に関するものである。
【０００２】
さらに詳しくは、硫黄を主成分とする水和硫黄剤に展着剤、エタノール、グリセリン、マクロゴールを調合し水または温泉水で調合した溶剤を用いて、磁気バレルにて研磨しながら表面処理を効果的に行う装飾品である。
【背景技術】
【０００３】
銀、シルバ９２５素材のアクセサリ・装身具のデザインにおいて古美仕上げ、燻し仕上げは多く用いる手法である。本考案は、それらの古美仕上げ、燻し仕上げの表面処理を効果的に行う溶剤を用いて仕上げ、独特の風合い・特徴を備えた装飾品である。
【考案の概要】
【考案が解決しようとする課題】
【０００４】
アクセサリ・装身具の古美仕上げ、燻し仕上げはデザイン性において必要な製造手法である。現在、販売されている溶剤を用いた装飾品は、表面の燻し処理の密着度も低く作業効率に問題がある上に、コストの高さも問題である。
そこで、本考案は、水和硫黄剤を主成分とした溶剤を用い、当該作業の作業効率を高め、また市場性ある価格にて美しい銀古美仕上げ、燻し仕上げを施した安価な装飾品の提供をすることを目的とする。
【課題を解決するための手段】
【０００５】
現在販売されている古美仕上げ、燻し仕上げの溶剤は、表面処理をしてから磨き仕上げを行う工程において洗浄時、研磨工程途中で燻した表面が色落ちしてしまう事が多い。本考案の溶剤を用いた装飾品は磁気バレルにて研磨しながら表面処理が行えるので製作効率が向上し更に燻し仕上げの表面に輝きが生まれ効率の良い作業工程となる。水和硫黄剤を主成分とした独自の調合、配合による溶剤を用いた装飾品は生産性、商品クオリティを高める上でも効果的である。
【０００６】
請求項１に記載の考案は、銀素材、シルバ９２５素材の貴金属・アクセサリの仕上げの際に用いる硫黄を主成分とする溶液に、展着剤、エタノール、グリセリン、マクロゴールを加え、水、または温泉水で調合して溶剤とし、該溶剤を使用し、磁気バレルを用いて仕上げた装飾品である。
【０００７】
請求項２に記載の考案は、前記銀素材、シルバ９２５素材の貴金属・アクセサリの表面に、燻し仕上げ、古美仕上げ等の処理を施すことを特徴とする請求項1に記載の装飾品である。
【考案の効果】
【０００８】
上述の様に、本考案の溶剤を用いた装飾品は、磁気バレルにて研磨しながら表面処理が行えるので作業の短縮となり古美仕上げ、燻し仕上げにおいても従来の輝きに対して向上する効果が得られるものである。用いる溶剤コストにおいても主成分である水和硫黄剤を約２０倍から５０倍に薄め、エタノール、グリセリン、マクロゴール、水または温泉水と調合、配合するので経済的である。またその効果は５回から１０回の使用を経ても効果が持続し磁気バレルの回転速度、作動時間により装飾品の色合い、光沢を好みに仕上げられる。
【考案を実施するための形態】
【０００９】
本考案で用いる溶剤を用いた装飾品の成分である水和硫黄剤、展着剤は、主に農薬として広く長く使用されている溶剤である。農業、園芸において殺虫、殺虫剤として流通している。調合、配合する微量のエタノール、グリセリン、マクロゴールはうがい薬に含まれている成分である。以上の成分を水または温泉水にて独自の分量で調合、配合し古美仕上げ、燻し仕上げの溶剤とし、磁気バレル（研磨機）を使用して研磨を行うと効果的に表面処理の施した装飾品が仕上がる。本考案の溶剤を用いた装飾品の効果的な表面処理は磁気バレルによる研磨により作業効率の向上を促し密着度の強い古美仕上げ、燻し仕上げが施された装飾品として作業効率的、経済的にも効果的である。
【実施例】
【００１０】
以下、添付図面に基づいて実施例を説明する。
図１（Ａ）において１は、水和硫黄剤と展着剤、エタノール、グリセリン、マクロゴール、の成分に水道水または温泉水をビーカ４にて独自の割合で調合した溶剤である。
図1（Ｂ）は、銀、シルバ９２５素材のアクセサリ２、をビーカ4に入れた図である。
図２（Ａ）は、磁気バレル３に１の水和硫黄剤と展着剤、エタノール、グリセリン、マクロゴール、の成分に水道水または温泉水を独自の割合で調合した溶剤に銀、シルバ９２５素材のアクセサリ２、をビーカ4に入れ設置した説明図である。
図２（Ｂ）は、磁気バレルの構造説明図である。
図２（Ａ）の磁気バレルの作業は、１５分から３０分間稼動させ研磨し、表面処理が終えた銀、シルバ９２５製のアクセサリ、装身具はビーカから取り出し水洗いした後、乾燥させる。表面処理の色合い、光沢は磁気バレル回転速度と作動時間の調整にて好みの仕上がりが施し可能である。
【図面の簡単な説明】
【００１１】
【図１】（A）は、本考案の装飾品に用いる溶剤の基本的な配合を示す説明図である。（B）は、本考案の装飾品に用いる溶剤にアクセサリを入れた説明図である。
【図２】（A）は、本考案の装飾品を溶剤に入れ磁気バレルに設置した説明図である。（B）は、本考案の装飾品に用いる磁気バレルの構造図である。
【符号の説明】
【００１２】
１溶剤
２銀、シルバ925素材のアクセサリ
3磁気バレル
4ビーカ
【図１】
0003151447.tif 000003
【図２】
0003151447.tif 000004
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
銀素材、シルバ９２５素材の貴金属・アクセサリの仕上げの際に用いる硫黄を主成分とする溶液に、展着剤、エタノール、グリセリン、マクロゴール（登録商標）を加え、水、または温泉水で調合して溶剤とし、該溶剤を使用し、磁気バレルを用いて仕上げた装身具。
【請求項２】
前記銀素材、シルバ９２５素材の貴金属・アクセサリの表面に、燻し仕上げ、古美仕上げ等の処理を施すことを特徴とする請求項1に記載の装身具。
【手続補正２】
【補正対象書類名】明細書
【補正対象項目名】全文
【補正方法】変更
【補正の内容】
【考案の詳細な説明】
【技術分野】
【０００１】
本考案は、銀、シルバ９２５素材のアクセサリ、装身具に関し、特に仕上げの際に多く用いられる古美仕上げ、燻し仕上げを効果的に行う為の溶剤を用いた装身具に関するものである。
【０００２】
さらに詳しくは、硫黄を主成分とする水和硫黄剤に展着剤、エタノール、グリセリン、マクロゴール（登録商標）を調合し水または温泉水で調合した溶剤を用いて、磁気バレルにて研磨しながら表面処理を効果的に行う装身具である。
【背景技術】
【０００３】
銀、シルバ９２５素材のアクセサリ・装身具のデザインにおいて古美仕上げ、燻し仕上げは多く用いる手法である。本考案は、それらの古美仕上げ、燻し仕上げの表面処理を効果的に行う溶剤を用いて仕上げ、独特の風合い・特徴を備えた装身具である。
【考案の概要】
【考案が解決しようとする課題】
【０００４】
アクセサリ・装身具の古美仕上げ、燻し仕上げはデザイン性において必要な製造手法である。現在、販売されている溶剤を用いた装身具は、表面の燻し処理の密着度も低く作業効率に問題がある上に、コストの高さも問題である。
そこで、本考案は、水和硫黄剤を主成分とした溶剤を用い、当該作業の作業効率を高め、また市場性ある価格にて美しい銀古美仕上げ、燻し仕上げを施した安価な装身具の提供をすることを目的とする。
【課題を解決するための手段】
【０００５】
現在販売されている古美仕上げ、燻し仕上げの溶剤は、表面処理をしてから磨き仕上げを行う工程において洗浄時、研磨工程途中で燻した表面が色落ちしてしまう事が多い。本考案の溶剤を用いた装身具は磁気バレルにて研磨しながら表面処理が行えるので製作効率が向上し更に燻し仕上げの表面に輝きが生まれ効率の良い作業工程となる。水和硫黄剤を主成分とした独自の調合、配合による溶剤を用いた装身具は生産性、商品クオリティを高める上でも効果的である。
【０００６】
請求項１に記載の考案は、銀素材、シルバ９２５素材の貴金属・アクセサリの仕上げの際に用いる硫黄を主成分とする溶液に、展着剤、エタノール、グリセリン、マクロゴール（登録商標）を加え、水、または温泉水で調合して溶剤とし、該溶剤を使用し、磁気バレルを用いて仕上げた装身具である。
【０００７】
請求項２に記載の考案は、前記銀素材、シルバ９２５素材の貴金属・アクセサリの表面に、燻し仕上げ、古美仕上げ等の処理を施すことを特徴とする請求項1に記載の装身具である。
【考案の効果】
【０００８】
上述の様に、本考案の溶剤を用いた装身具は、磁気バレルにて研磨しながら表面処理が行えるので作業の短縮となり古美仕上げ、燻し仕上げにおいても従来の輝きに対して向上する効果が得られるものである。用いる溶剤コストにおいても主成分である水和硫黄剤を約２０倍から５０倍に薄め、エタノール、グリセリン、マクロゴール（登録商標）、水または温泉水と調合、配合するので経済的である。またその効果は５回から１０回の使用を経ても効果が持続し磁気バレルの回転速度、作動時間により装身具の色合い、光沢を好みに仕上げられる。
【考案を実施するための形態】
【０００９】
本考案で用いる溶剤を用いた装身具の成分である水和硫黄剤、展着剤は、主に農薬として広く長く使用されている溶剤である。農業、園芸において殺虫、殺虫剤として流通している。調合、配合する微量のエタノール、グリセリン、マクロゴール（登録商標）はうがい薬に含まれている成分である。以上の成分を水または温泉水にて独自の分量で調合、配合し古美仕上げ、燻し仕上げの溶剤とし、磁気バレル（研磨機）を使用して研磨を行うと効果的に表面処理の施した装身具が仕上がる。本考案の溶剤を用いた装身具の効果的な表面処理は磁気バレルによる研磨により作業効率の向上を促し密着度の強い古美仕上げ、燻し仕上げが施された装身具として作業効率的、経済的にも効果的である。
【実施例】
【００１０】
以下、添付図面に基づいて実施例を説明する。
図１（Ａ）において１は、水和硫黄剤と展着剤、エタノール、グリセリン、マクロゴール（登録商標）、の成分に水道水または温泉水をビーカ４にて独自の割合で調合した溶剤である。
図1（Ｂ）は、銀、シルバ９２５素材のアクセサリ２、をビーカ4に入れた図である。
図２（Ａ）は、磁気バレル３に１の水和硫黄剤と展着剤、エタノール、グリセリン、マクロゴール（登録商標）、の成分に水道水または温泉水を独自の割合で調合した溶剤に銀、シルバ９２５素材のアクセサリ２、をビーカ4に入れ設置した説明図である。
図２（Ｂ）は、磁気バレルの構造説明図である。
図２（Ａ）の磁気バレルの作業は、１５分から３０分間稼動させ研磨し、表面処理が終えた銀、シルバ９２５製のアクセサリ、装身具はビーカから取り出し水洗いした後、乾燥させる。表面処理の色合い、光沢は磁気バレル回転速度と作動時間の調整にて好みの仕上がりが施し可能である。
【図面の簡単な説明】
【００１１】
図１（A）は、本考案の装身具に用いる溶剤の基本的な配合を示す説明図である。
図1（B）は、本考案の装身具に用いる溶剤にアクセサリを入れた説明図である。
図2（A）は、本考案の装身具を溶剤に入れ磁気バレルに設置した説明図である。
図2（B）は、本考案の装身具に用いる磁気バレルの構造図である。
【符号の説明】
【００１２】
１溶剤
２銀、シルバ925素材のアクセサリ
３磁気バレル
４ビーカ
【手続補正３】
【補正対象書類名】図面
【補正対象項目名】図１
【補正方法】変更
【補正の内容】
【図１】
0003151447.tif 000005